(57)【要約】【課題】後処理装置に記録用紙を送り込む中継部を省スペースに配設した記録装置によって、記録システム全体として小型化を図る。【解決手段】記録措置は、媒体に記録を行う記録部を収容する筐体と、前記記録部により記録された媒体を湾曲反転させて媒体を前記記録部より上側の位置に案内する湾曲反転経路と、前記記録部の上部に位置するとともに水平方向において前記筐体と重なる位置に設けられ、前記湾曲反転経路を経由して排出される媒体を受ける媒体受けトレイと、前記媒体受けトレイの上部に位置するとともに前記筐体と重なる位置に設けられ、前記湾曲反転経路を経由して搬送される媒体を水平方向における前記筐体の領域外に送る中継部と、前記湾曲反転経路から先の媒体の進路を前記媒体受けトレイ及び前記中継部の一方から他方及び他方から一方に切り換える進路切り換え手段とを備える。【選択図】図２
2018162146.tif 000002
【特許請求の範囲】
【請求項１】
媒体に記録を行う記録部を収容する筐体と、
前記記録部により記録された媒体を湾曲反転させて媒体を前記記録部より上側の位置に案内する湾曲反転経路と、
前記記録部の上部に位置するとともに水平方向において前記筐体と重なる位置に設けられ、前記湾曲反転経路を経由して排出される媒体を受ける媒体受けトレイと、
前記媒体受けトレイの上部に位置するとともに前記筐体と重なる位置に設けられ、前記湾曲反転経路を経由して搬送される媒体を水平方向における前記筐体の領域外に送る中継部と、
前記湾曲反転経路から先の媒体の進路を前記媒体受けトレイ及び前記中継部の一方から他方及び他方から一方に切り換える進路切り換え手段と、
を備えた記録装置。
【請求項２】
請求項１に記載の記録装置において、前記中継部は、前記湾曲反転経路から先の媒体排出口より下流側に位置し、
前記進路切り換え手段は、前記中継部に設けられ、前記媒体排出口から排出される媒体を前記中継部内に進ませるか前記媒体受けトレイに進ませるかを切り換える、
ことを特徴とする記録装置。
【請求項３】
請求項１に記載の記録装置において、前記進路切り換え手段は、前記湾曲反転経路から先の媒体排出口より上流側に設けられ、前記湾曲反転経路から抜けた媒体を前記媒体排出口を経由させないで前記中継部に進ませるか前記媒体排出口を経由させて前記媒体受けトレイに進ませるかを切り換える、
ことを特徴とする記録装置。
【請求項４】
請求項１に記載の記録装置において、前記中継部は、前記進路切り換え手段と、
前記湾曲反転経路を経由して送られる媒体を受け入れる受け入れ口と、
媒体を前記媒体受けトレイに向けて排出する媒体排出口と、を備え、
前記進路切り換え手段が、前記受け入れ口から受け入れられた媒体を前記筐体の領域外に進ませるか前記媒体排出口を経由させて前記媒体受けトレイに進ませるかを切り換える、
ことを特徴とする中継装置。
【請求項５】
請求項２に記載の記録装置において、前記媒体排出口の上流側に、媒体搬送方向と交差する方向である媒体幅方向における媒体の少なくとも一部と当接して前記媒体幅方向に湾曲する湾曲部を媒体に形成する当接部を有し、
前記当接部は、前記進路切り換え手段が媒体を前記媒体受けトレイに進ませる際には媒体と当接する第１状態をとり、前記進路切り換え手段が媒体を前記中継部に進ませる際には媒体と当接しない第２状態をとる、
ことを特徴とする記録装置。
【請求項６】
請求項２または請求項５に記載の記録装置において、前記媒体排出口から排出される媒体に対して送風するファンを備え、
前記ファンは、前記進路切り換え手段が媒体の進路を前記媒体受けトレイ行きに切り換えた状態では送風方向を前記媒体受けトレイに向け、
前記進路切り換え手段が媒体の進路を前記中継部行きに切り換えた状態では送風方向を媒体の進行方向に沿った方向に向ける、
ことを特徴とする記録装置。
【請求項７】
請求項１から請求項６のいずれか一項に記載の記録装置において、前記中継部は、受け入れた媒体を前記筐体の領域外に排出する第１排出口と、
受け入れた媒体を前記媒体受けトレイの下流側から上流に向けて排出する為の第２排出口と、
媒体の進路を前記第１排出口及び前記第２排出口の一方から他方及び他方から一方に切り換える排出方向切り換え手段と、を備える、
ことを特徴とする記録装置。
【請求項８】
請求項７に記載の記録装置において、前記中継部は、前記第２排出口から排出される媒体の面を反転させて前記媒体受けトレイに案内するガイド部材を備える、
ことを特徴とする記録装置。
【請求項９】
請求項１から請求項８のいずれか一項に記載の記録装置において、前記中継部は、受け入れた媒体を前記筐体の領域外に排出する排出経路を複数備えるとともに、受け入れた媒体を複数の前記排出経路のうちいずれかに選択的に切り換える排出経路切り換え手段を備える、
ことを特徴とする記録装置。
【請求項１０】
請求項１から請求項９のいずれか一項に記載の記録装置において、前記中継部は、前記記録装置に隣接して設けられる後処理装置に向けて媒体を排出する、
ことを特徴とする記録装置。
【請求項１１】
媒体に記録を行う記録部を収容する筐体と、
前記記録部により記録された媒体を湾曲反転させて媒体を前記記録部より上側の位置に案内する湾曲反転経路と、
前記記録部の上部に位置するとともに水平方向において前記筐体と重なる位置に設けられ、前記湾曲反転経路を経由して排出される媒体を受ける媒体受けトレイと、を備える記録装置に対して前記媒体受けトレイの上部に設けられ、前記湾曲反転経路を経由して搬送される媒体を水平方向における前記筐体の領域外に送る中継装置であって、
前記湾曲反転経路から先の媒体の進路を前記媒体受けトレイ及び前記中継装置内の一方から他方及び他方から一方に切り換える進路切り換え手段を備える、
ことを特徴とする中継装置。
【発明の詳細な説明】
【技術分野】
【０００１】
本発明は、媒体に記録を行う記録装置に関する。また本発明は、記録装置から排出される媒体を受け、媒体を後処理装置に中継する中継装置に関する。
【背景技術】
【０００２】
プリンターや複写機等に代表される記録装置では、媒体の一例としての記録用紙を排出した後、ソートやステープル処理等の後処理を行う後処理装置（フィニッシャーとも呼ばれる）が設けられることがある。この後処理装置は、多くの場合、記録装置に密着する様に配設される。
【０００３】
ここで記録装置が、記録用紙にインクを吐出して記録を行う構成である場合、即ちインクジェットプリンターである場合、記録装置から排出された記録用紙を直ちに後処理装置に送り込むと、インクが未乾燥であることに起因して用紙間でのインクの付着や、用紙のカールに起因するソートミス等の問題が生じる虞がある。  
特許文献１には、プリンター部とフィニッシャーとの間に、媒体搬送ユニット（中継ユニット）を設け、媒体搬送ユニットを経由してからフィニッシャーに記録用紙を送り込む構成が開示されている。
【先行技術文献】
【特許文献】
【０００４】
【特許文献１】特開２０１４−１９４４７４号公報
【発明の概要】
【発明が解決しようとする課題】
【０００５】
しかしながらプリンター部とフィニッシャーとの間に媒体搬送ユニットを設けると、印刷システム全体が大型化し、特に水平方向の占有領域が増え、大きな設置スペースが必要となってしまう。  
そこで本発明はこの様な状況に鑑み成されたものであり、その目的は、後処理装置に記録用紙を送り込む中継部を省スペースに配設した記録装置によって、記録システム全体として小型化を図ることにある。
【課題を解決するための手段】
【０００６】
上記課題を解決する為の、本発明の第１の態様に係る記録装置は、媒体に記録を行う記録部を収容する筐体と、前記記録部により記録された媒体を湾曲反転させて媒体を前記記録部より上側の位置に案内する湾曲反転経路と、前記記録部の上部に位置するとともに水平方向において前記筐体と重なる位置に設けられ、前記湾曲反転経路を経由して排出される媒体を受ける媒体受けトレイと、前記媒体受けトレイの上部に位置するとともに前記筐体と重なる位置に設けられ、前記湾曲反転経路を経由して搬送される媒体を水平方向における前記筐体の領域外に送る中継部と、前記湾曲反転経路から先の媒体の進路を前記媒体受けトレイ及び前記中継部の一方から他方及び他方から一方に切り換える進路切り換え手段とを備えたことを特徴とする。
【０００７】
本態様によれば、前記湾曲反転経路を経由して搬送される媒体を水平方向における前記筐体の領域外に送る中継部が、前記媒体受けトレイの上部に位置するとともに前記筐体と重なる位置に設けられているので、前記筐体の領域外の例えば後処理装置に向けて媒体を送る中継部の水平方向の占有領域を抑え、或いは前記中継部がそれ単独で水平方向の領域を占有することを回避でき、即ち前記中継部を省スペースに配設して記録システム全体として小型化を図ることができる。
【０００８】
本発明の第２の態様は、第１の態様において、前記中継部は、前記湾曲反転経路から先の媒体排出口より下流側に位置し、前記進路切り換え手段は、前記中継部に設けられ、前記媒体排出口から排出される媒体を前記中継部内に進ませるか前記媒体受けトレイに進ませるかを切り換えることを特徴とする。
【０００９】
本態様によれば、前記中継部は、前記湾曲反転経路から先の媒体排出口より下流側に位置するので、前記中継部を取り外した状態においても前記媒体排出口から媒体の排出を行う構成とすることができる。
【００１０】
本発明の第３の態様は、第１の態様において、前記進路切り換え手段は、前記湾曲反転経路から先の媒体排出口より上流側に設けられ、前記湾曲反転経路から抜けた媒体を前記媒体排出口を経由させないで前記中継部に進ませるか前記媒体排出口を経由させて前記媒体受けトレイに進ませるかを切り換えることを特徴とする。
【００１１】
本態様によれば、前記進路切り換え手段は、前記湾曲反転経路から先の媒体排出口より上流側に設けられ、前記湾曲反転経路から抜けた媒体を前記媒体排出口を経由させないで前記中継部に進ませるか前記媒体排出口を経由させて前記媒体受けトレイに進ませるかを切り換える構成であるので、前記中継部内の媒体搬送経路を長めに確保することができる。
【００１２】
本発明の第４の態様は、第１の態様において、前記中継部は、前記進路切り換え手段と、前記湾曲反転経路を経由して送られる媒体を受け入れる受け入れ口と、媒体を前記媒体受けトレイに向けて排出する媒体排出口と、を備え、前記進路切り換え手段が、前記受け入れ口から受け入れられた媒体を前記筐体の領域外に進ませるか前記媒体排出口を経由させて前記媒体受けトレイに進ませるかを切り換えることを特徴とする。
【００１３】
本態様によれば、前記進路切り換え手段も含めて前記中継部をアセンブリすることで、前記進路切り換え手段を作業性容易に設けることができる。
【００１４】
本発明の第５の態様は、第２の態様において、前記媒体排出口の上流側に、媒体搬送方向と交差する方向である媒体幅方向における媒体の少なくとも一部と当接して前記媒体幅方向に湾曲する湾曲部を媒体に形成する当接部を有し、前記当接部は、前記進路切り換え手段が媒体を前記媒体受けトレイに進ませる際には媒体と当接する第１状態をとり、前記進路切り換え手段が媒体を前記中継部に進ませる際には媒体と当接しない第２状態をとることを特徴とする。
【００１５】
本態様によれば、前記進路切り換え手段が媒体を前記媒体受けトレイに進ませる際には前記当接部が前記第１状態をとることにより、前記媒体受けトレイに向けて排出される媒体が、特に媒体排出方向にカールすることを抑制できる。  
そして前記進路切り換え手段が媒体を前記中継部に進ませる際には前記当接部が前記第２状態をとることにより、前記中継部において媒体を受け入れる受け入れ口に、円滑に進ませることができる。
【００１６】
本発明の第６の態様は、第１から第５の態様のいずれかにおいて、前記媒体排出口から排出される媒体に対して送風するファンを備え、前記ファンは、前記進路切り換え手段が媒体の進路を前記媒体受けトレイ行きに切り換えた状態では送風方向を前記媒体受けトレイに向け、前記進路切り換え手段が媒体の進路を前記中継部行きに切り換えた状態では送風方向を媒体の進行方向に沿った方向に向けることを特徴とする。
【００１７】
本態様によれば、前記媒体排出口から排出される媒体に対して送風するファンを備え、前記ファンは、前記進路切り換え手段が媒体の進路を前記媒体受けトレイ行きに切り換えた状態では送風方向を前記媒体受けトレイに向けるので、媒体を適切に前記媒体受けトレイに落下させることができる。また前記ファンは、前記進路切り換え手段が媒体の進路を前記中継部行きに切り換えた状態では送風方向を媒体の進行方向に沿った方向に向けるので、前記中継部において媒体を受け入れる受け入れ口に、媒体を適切に進ませることができる。
【００１８】
本発明の第７の態様は、第１から第６の態様のいずれかにおいて、前記中継部は、受け入れた媒体を前記筐体の領域外に排出する第１排出口と、受け入れた媒体を前記媒体受けトレイの下流側から上流に向けて排出する為の第２排出口と、媒体の進路を前記第１排出口及び前記第２排出口の一方から他方及び他方から一方に切り換える排出方向切り換え手段と、を備えることを特徴とする。
【００１９】
本態様によれば、前記中継部は、媒体を排出する排出口として前記第１排出口に加え前記第２排出口を有しているので、媒体の排出の自由度が向上する。
【００２０】
本発明の第８の態様は、第７の態様において、前記中継部は、前記第２排出口から排出される媒体の面を反転させて前記媒体受けトレイに案内するガイド部材を備えることを特徴とする。
【００２１】
本態様によれば、前記中継部は、前記第２排出口から排出される媒体の面を反転させて前記媒体受けトレイに案内するガイド部材を備えるので、前記媒体受けトレイ上に載置される媒体の面を切り換えることができ、ユーザーの多様なニーズに応えることができる。
【００２２】
本発明の第９の態様は、第１から第８の態様のいずれかにおいて、前記中継部は、受け入れた媒体を前記筐体の領域外に排出する排出経路を複数備えるとともに、受け入れた媒体を複数の前記排出経路のうちいずれかに選択的に切り換える排出経路切り換え手段を備えることを特徴とする。
【００２３】
本態様によれば、前記中継部は、受け入れた媒体を前記筐体の領域外に排出する排出経路を複数備えるとともに、受け入れた媒体を複数の前記排出経路のうちいずれかに選択的に切り換える排出経路切り換え手段を備えるので、前記中継部内により多くの媒体を受け入れることができ、特に前記記録手段が媒体に対して液体を吐出するタイプである場合には前記中継部内での液体の乾燥時間をより長く確保できる。
【００２４】
本発明の第１０の態様は、第１から第９の態様のいずれかにおいて、前記中継部は、前記記録装置に隣接して設けられる後処理装置に向けて媒体を排出することを特徴とする。  
本態様によれば、前記記録装置に後処理装置を隣接する場合に、前記中継部の水平方向の占有領域を抑え、或いは前記中継部がそれ単独で水平方向の領域を占有することを回避することで、記録システム全体として小型化を図ることができる。
【図面の簡単な説明】
【００２５】
【図１】本発明に係る記録システムの外観を示す正面図。
【図２】第１の実施例に係る中継部を備えるプリンターの搬送経路を示す側面図。
【図３】第２の実施例に係る中継部を備えるプリンターの搬送経路を示す側面図。
【図４】第３の実施例に係る中継部を備えるプリンターの搬送経路を示す側面図。
【図５】第４の実施例に係る中継部を備えるプリンターの搬送経路において排出処理ユニット側へ送られる媒体の経路を示す側面図。
【図６】第４の実施例に係る中継部を備えるプリンターの搬送経路において媒体受けトレイ側へ送られる媒体の経路を示す側面図。
【図７】第５の実施例に係る中継部を備えるプリンターの搬送経路を示す側面図。
【図８】本発明に係るプリンターの排出口周辺の側断面図。
【図９】プリンターの排出口周辺の平面図。
【図１０】プリンターの排出口周辺の正面図。
【図１１】当接部における第１状態と第２状態との切り換えを説明する概要図。
【発明を実施するための形態】
【００２６】
以下、本発明の実施の形態を図面に基づいて説明する。尚、各実施例において同一の構成については、同一の符号を付し、最初の実施例においてのみ説明し、以後の実施例においてはその構成の説明を省略する。
【００２７】
図１は本発明に係る記録システムの外観を示す正面図であり、図２は第１の実施例に係る中継部を備えるプリンターの搬送経路を示す側面図であり、図３は第２の実施例に係る中継部を備えるプリンターの搬送経路を示す側面図であり、図４は第３の実施例に係る中継部を備えるプリンターの搬送経路を示す側面図である。
【００２８】
図５は第４の実施例に係る中継部を備えるプリンターの搬送経路において排出処理ユニット側へ送られる媒体の経路を示す側面図であり、図６は第４の実施例に係る中継部を備えるプリンターの搬送経路において媒体受けトレイ側へ送られる媒体の経路を示す側面図である。
【００２９】
図７は第５の実施例に係る中継部を備えるプリンターの搬送経路を示す側面図であり、図８は本発明に係るプリンターの排出口周辺の側断面図であり、図９はプリンターの排出口周辺の平面図であり、図１０はプリンターの排出口周辺の正面図であり、図１１は当接部における第１状態と第２状態との切り換えを説明する概要図である。
【００３０】
また、各図において示すＸ−Ｙ−Ｚ座標系はＸ方向が記録媒体の幅方向、すなわち装置奥行き方向を示し、Ｙ方向が記録装置内の搬送経路における記録媒体の搬送方向、すなわち装置幅行き方向を示し、Ｚ方向が装置高さ方向を示している。
【００３１】
■■■第１の実施例■■■■
＜＜＜プリンターの概要＞＞＞
図１において、記録システム１０が図示されている。記録システム１０は、一例としてプリンター１２と、「中継装置」としての中継部１４と、排出処理ユニット１６（後処理装置）と外部媒体供給ユニット１８とを備えている。本実施例に係るプリンター１２は、記録装置の一例としてのインクジェットプリンターとして構成され、「筐体」としての記録装置本体２０と、スキャナーユニット２２とを備える複合機として構成されている。
【００３２】
本実施例において記録装置本体２０は、一例として複数の媒体収容部２４を備えている。中継部１４は、後述するが、記録装置本体２０に設けられた排出口５６から媒体を排出処理ユニット１６に向けて搬送するユニットとして機能する。排出処理ユニット１６は、中継部１４から媒体が送られてくると、一例として裁断、紙折り、パンチ穴あけ、ステープル及びソート等の処理を媒体に対して行うように構成されている。尚、本実施例において排出口５６及び排出処理ユニット１６から排出される媒体は、一例として、フェイスダウン状態（媒体Ｐの最後にラインヘッド３８（後述）と対向した記録面を下向きとした状態）で排出されるように構成されている。
【００３３】
外部媒体供給ユニット１８は、本実施例では、排出処理ユニット１６の下方側に配置され、内部に収容された媒体を記録装置本体２０に供給可能に構成されている。尚、図１では、主要な構成のみ符号を付しており、図１ないし図６において排出処理ユニット１６の内部構造については図示を省略し、図２ないし図６において、一例として記録装置本体２０の複数の媒体収容部２４のうち１つのみを図示し、外部媒体供給ユニット１８の図示を省略している。
【００３４】
次いで、図２において、記録装置本体２０の媒体搬送経路２６の概要及び第１の実施例に係る中継部１４の構成について説明する。まず、媒体搬送経路２６について説明する。尚、図２には、媒体Ｐの搬送経路の主要構成のみの符号を付し、その他の構成、特に複数設けられている拍車については符号を省略している。
【００３５】
媒体搬送経路２６は、給送経路２８、ストレート経路３０、「湾曲反転経路」としてのフェイスダウン排出経路３２、スイッチバック経路３４、反転経路３６を備えている。給送経路２８は、媒体収容部２４から「記録部」としてのラインヘッド３８が配置されるストレート経路３０までの経路として構成されている。給送経路２８には、媒体Ｐの搬送方向に沿って給送ローラー４０、分離ローラー対４２、搬送ローラー対４４が設けられている。そして、これらのローラーが図示しない駆動源により回転駆動させられることにより、媒体Ｐは媒体収容部２４からストレート経路３０に向けて搬送される。尚、図２において符号Ｐ１が付された破線は、媒体収容部２４からラインヘッド３８に向けて送られる媒体Ｐの経路を示している。
【００３６】
尚、以降の説明において、本明細書に登場する各搬送ローラー対における一方のローラーは図示しない駆動モーターにより回転駆動させられる駆動ローラーとして構成され、他方のローラーは従動ローラーとして構成されているものとして説明する。
【００３７】
ストレート経路３０は直線状に延びる経路として構成され、搬送方向に沿って順に搬送ローラー対４６、ベルト搬送手段４８、ラインヘッド３８、第１フラップ５０が設けられている。本実施例においてラインヘッド３８は、ラインヘッド３８のヘッド面と対向する領域にベルト搬送手段４８により媒体Ｐが搬送された際、媒体Ｐの記録面に対してヘッド面に設けられた複数のノズルからインクを吐出して記録を実行するように構成されている。本実施例におけるラインヘッド３８は、一例としてインクを吐出するノズルが用紙幅方向全域をカバーする様に設けられた記録ヘッドであり、用紙幅方向への移動を伴わないで用紙幅全体に記録が可能な記録ヘッドとして構成されている。
【００３８】
ラインヘッド３８により記録が行われた媒体Ｐはベルト搬送手段４８により第１フラップ５０に向けて搬送される。第１フラップ５０は、制御部５２により制御され、媒体Ｐの搬送方向をフェイスダウン排出経路３２又はスイッチバック経路３４に切換える。
【００３９】
本実施例において制御部５２は、一例として記録装置本体２０内に設けられている。制御部５２は、給送ローラー４０、分離ローラー対４２、搬送ローラー対４４、４６、５８（後述）、６４（後述）、排出ローラー対５４（後述）、ベルト搬送手段４８、第１フラップ５０、第２フラップ６２（後述）、ラインヘッド３８の動作を制御している。さらに制御部５２は、一例として中継部１４、排出処理ユニット１６及び外部媒体供給ユニット１８（図１）も制御している。
【００４０】
フェイスダウン排出経路３２はラインヘッド３８により記録が行われた媒体Ｐを排出する湾曲反転経路として構成される。第１フラップ５０によりフェイスダウン排出経路３２に案内された媒体Ｐは、フェイスダウン排出経路３２において間隔をおいて設けられた複数の排出ローラー対５４によって「媒体排出口」としての排出口５６まで搬送され、排出される。尚、フェイスダウン排出経路３２は、湾曲することでラインヘッド３８により記録が行われた記録面を下向きにして媒体Ｐを排出口５６から排出する。
【００４１】
スイッチバック経路３４はラインヘッド３８により記録が行われた媒体Ｐをスイッチバックする湾曲経路として構成される。第１フラップ５０によりスイッチバック経路３４に案内された媒体Ｐは、スイッチバック経路３４に設けられた搬送ローラー対５８により媒体Ｐの先端がスイッチバック経路３４の先端に設けられた湾曲部６０まで送られる。
【００４２】
ここで、第１フラップ５０の上方には、第２フラップ６２が設けられており、第１フラップ５０の動作に連動して不図示の連動機構により揺動させられる。第２フラップ６２は、第１フラップ５０がストレート経路３０とスイッチバック経路３４とを接続している状態（図２）において、スイッチバック経路３４と反転経路３６との接続を遮る姿勢を取り、第１フラップ５０がストレート経路３０とフェイスダウン排出経路３２とを接続している状態において、スイッチバック経路３４と反転経路３６とを接続する姿勢を取る。反転経路３６はスイッチバック経路３４によってスイッチバックされた媒体Ｐを反転させて再びラインヘッド３８に搬送する経路である。
【００４３】
第２フラップ６２がスイッチバック経路３４と反転経路３６とを接続する姿勢を取ると、搬送ローラー対５８が逆回転し、スイッチバック経路３４内の媒体Ｐの後端が、今度は先端として反転経路３６に送られる。反転経路３６に送られた媒体Ｐは、反転経路３６に間隔をおいて設けられた搬送ローラー対６４によりストレート経路３０に送られる。媒体Ｐは、反転経路３６を搬送される際、第１面（ラインヘッド３８により既に記録が行われた面）と第２面とが反転させられ、ストレート経路３０におけるラインヘッド３８と対向する領域に搬送され、第２面に記録が実行される。そして、媒体Ｐは一例としてフェイスダウン排出経路３２を経て排出口５６から排出される。
【００４４】
図２においてラインヘッド３８及び反転経路３６の上方には、媒体受けトレイ６６が設けられている。媒体受けトレイ６６は、一例としてＹ方向において記録装置本体２０の領域内、具体的には記録装置本体２０とＺ方向において重なる位置に配置されている。中継部１４は、媒体受けトレイ６６のＺ方向上方、具体的には、Ｚ方向において媒体受けトレイ６６とスキャナーユニット２２との間に配置されている。さらに、中継部１４は、媒体Ｐの搬送方向において、排出口５６の下流側に配置されている。
【００４５】
中継部１４は、進路切り換え手段６８と、搬送路７０と、搬送ローラー対７１と、ファン７２とを備えている。進路切り換え手段６８は、中継部１４において排出口５６寄りに配置されており、排出口５６から排出された媒体Ｐを中継部１４内の搬送路７０に案内する姿勢（図２実線部）と、排出口５６から排出された媒体Ｐを媒体受けトレイ６６に案内する姿勢（符号６８−１が付された破線部）とを切り換えることができる。進路切り換え手段６８は、一例としてフラップ状に形成されており、制御部５２により姿勢が切り換えられるように構成されている。
【００４６】
搬送路７０は、一例としてＹ方向において進路切り換え手段６８から−Ｙ方向側に延び、排出処理ユニット１６に接続されている。搬送路７０内には、適宜間隔をおいて複数の搬送ローラー対７１が配置されている。本実施例において搬送ローラー対７１の一方のローラーは、一例として中継部１４内に配置された不図示の駆動源、あるいは、記録装置本体２０内に配置された不図示の駆動源から動力を受けて駆動するように構成されている。本実施例では、さらに搬送路７０内において搬送ローラー対７１に加えて複数の拍車が適宜間隔をおいて配置されている。尚、搬送ローラー対７１及び複数の拍車の構成については、以降説明する他の実施例における搬送路８０（図３）、搬送路９２（図４）、搬送路９６（図５及び図６）、第１排出経路１１２及び第２排出経路１１４（図７）においても同様である。
【００４７】
ファン７２は、排出口５６の搬送方向下流側の位置で、排出口５６から排出される媒体Ｐに向けて送風可能に設けられている。ファン７２は、一例として、送風口７２ａと送風口７２ｂとを備え、風の吹き出し方向を切り換えることができる。ファン７２において送風口７２ａから送風されると、排出口５６から排出された媒体ＰのＺ方向上方側から媒体に風が当てられる。一方、ファン７２において送風口７２ｂから送風されると、搬送路７０に沿って風が送られ、搬送路７０内を進む媒体Ｐに風が当てられる。尚、本実施例では、一例としてファン７２において、送風口７２ａと送風口７２ｂとを切り換える構成としたが、ファン７２を回動可能に構成し、ファン７２の向きを変更できるように構成してもよい。
【００４８】
図２において、排出口５６から媒体Ｐが排出された際、進路切り換え手段６８が図２において実線で示した姿勢を取ると、排出された媒体Ｐは、進路切り換え手段６８により搬送路７０内に案内される。搬送路７０内に案内された媒体Ｐは、複数の搬送ローラー対７１により搬送路７０に沿って排出処理ユニット１６に送られる。尚、図２において符号Ｐ−１が付された二点鎖線の矢印は排出口５６から搬送路７０を通って排出処理ユニット１６までの媒体Ｐの搬送経路を示している。
【００４９】
この際、ファン７２の送風方向は搬送路７０側に切り換えられている。その結果、排出口５６から排出された媒体Ｐが搬送路７０側に進むことを妨げることがなく、媒体Ｐを搬送路７０内に向けて適切に進めることができる。さらに、ファン７２が搬送路７０内を進む媒体Ｐに風を送るので、搬送路７０を進む媒体Ｐの乾燥をより早めることができる。
【００５０】
一方、排出口５６から媒体Ｐが排出された際、進路切り換え手段６８が図２において符合６８−１が付された破線で示した姿勢を取ると、進路切り換え手段６８は搬送路７０への入り口を閉じて、媒体Ｐを媒体受けトレイ６６に向けて案内する。この際、ファン７２の送風方向は装置高さ方向下方側に向けて送風する状態に切り換えられている。排出口５６から排出された媒体Ｐは、Ｚ方向上方側からファン７２により風が当てられている。これにより、排出口５６から排出された媒体Ｐが搬送方向先端側又は後端側、あるいは媒体Ｐの幅方向の両側部がカール状に変形することを抑制し、或いは低減するので、媒体受けトレイ６６において媒体Ｐを適切な姿勢で載置することができる。
【００５１】
■■■第２の実施例■■■■
図３において第２の実施例について説明する。本実施例は、進路切り換え手段７４を媒体Ｐの搬送方向において排出口５６よりも上流側に配置している点で第１の実施例と相違する。尚、記録装置本体８２において搬送経路２６の構成については、第１実施例と同様であるので説明を省略する。
【００５２】
本実施例において記録装置本体８２には、進路切り換え手段７４と、接続路７８とが設けられている。接続路７８には、排出ローラー対５４が設けられている。中継部７６は、搬送路８０と、搬送ローラー対７１と、ファン７２とを備えている。進路切り換え手段７４は、記録装置本体８２のフェイスダウン排出経路３２の排出口５６の上流側に設けられている。本実施例においても進路切り換え手段７４は、一例としてフラップとして形成されている。接続路７８は、フェイスダウン排出経路３２の排出口５６の上流側の位置で一端側がフェイスダウン排出経路３２に接続され、他端側が中継部７６の搬送路８０に接続されている。搬送路８０の−Ｙ方向側端部は排出処理ユニット１６に接続されている。
【００５３】
図３において、進路切り換え手段７４は、フェイスダウン排出経路３２において媒体Ｐを接続路７８及び搬送路８０を介して排出処理ユニット１６に向かう姿勢を取っている。この姿勢では、フェイスダウン排出経路３２に沿って送られてきた媒体Ｐは、排出口５６から排出されるのではなく、接続路７８を通って、排出ローラー対５４により中継部７６に送られ、中継部７６の搬送路８０に沿って複数の搬送ローラー対７１により排出処理ユニット１６に送られる。尚、進路切り換え手段７４も制御部５２により姿勢切り換えを制御されている。尚、図３において符号Ｐ−２が付された二点鎖線は、接続路７８及び搬送路８０を通って排出処理ユニット１６に向かう媒体Ｐの搬送経路を示している。
【００５４】
一方、図示していないが、進路切り換え手段７４が姿勢を切り換えられると、進路切り換え手段７４がフェイスダウン排出経路３２と接続路７８との接続部において、接続路７８への入り口を閉じる。その結果、フェイスダウン排出経路３２に沿って送られてきた媒体Ｐは排出口５６側へと送られ、排出口５６を経由して媒体受けトレイ６６に向けて排出される。
【００５５】
＜＜＜第２の実施例の変更例＞＞＞
本実施例において、ファン７２は排出口５６から排出される媒体に送風するように構成したが、ファン７２からの風を搬送路８０内に送風できるように構成してもよい。このように構成することにより、搬送路８０内を搬送される媒体Ｐにファン７２からの風が当たり、媒体Ｐの乾燥をより早めることができる。
【００５６】
■■■第３の実施例■■■■
図４において第３の実施例について説明する。第３の実施例は、排出口５６に中継部を接続し、排出口５６から排出される媒体Ｐを中継部内に案内した後、進路切り換え部材により排出処理ユニット１６又は媒体受けトレイ６６に送るかを決める点で第１の実施例と相違する。尚、記録装置本体２０において搬送経路２６の構成については、第１実施例と同様であるので説明を省略する。
【００５７】
図４において、中継部８４は、受け入れ口８６と、進路切り換え手段８８と、媒体排出口９０と、搬送路９２と、搬送ローラー対７１と、ファン７２とを備えている。中継部８４は、排出口５６に受け入れ口８６が接続されるように記録装置本体２０に取り付けられている。中継部８４において媒体排出口９０が設けられた位置には進路切り換え手段８８が設けられている。
【００５８】
排出口５６から排出された媒体Ｐは、受け入れ口８６から中継部８４内に進み、進路切り換え手段８８の位置まで送られる。進路切り換え手段８８が、図４において実線で示した姿勢を取ると、媒体排出口９０は閉じられた状態となる。これにより、媒体Ｐは、進路切り換え手段８８により搬送路９２に案内され、搬送路９２に沿って複数の搬送ローラー対７１により排出処理ユニット１６へと送られる。尚、図４において符号Ｐ−３が付された二点鎖線は、中継部８４内において受け入れ口８６から搬送路９２を経由して排出処理ユニット１６に向かう媒体Ｐの搬送経路を示している。
【００５９】
一方、進路切り換え手段８８が、図４において符合８８−１が付された破線で示した姿勢を取ると、媒体排出口９０が開いた状態となる。これにより、媒体Ｐは、進路切り換え手段８８に案内されて媒体排出口９０から媒体受けトレイ６６に向けて排出される。尚、本実施例においてもファン７２は、媒体Ｐが搬送路９２へ進む場合は、搬送路９２へ送風し、媒体Ｐが媒体排出口９０へ進む場合は、媒体排出口９０側に向けて送風するように構成されている。尚、本実施例においても進路切り換え手段８８は、制御部５２により姿勢切り換えを制御されている。
【００６０】
■■■第４の実施例■■■■
図５において第４の実施例について説明する。第４の実施例は、排出口５６に中継部を接続し、排出口５６から排出される媒体Ｐを中継部内に案内した後、進路切り換え部材により排出処理ユニット１６又は媒体受けトレイ６６に送るかを決める点で第１の実施例と相違する。尚、記録装置本体２０において搬送経路２６、排出口５６周辺の構成については、第１実施例と同様であるので説明を省略する。
【００６１】
図５及び図６において、中継部９４は、進路切り換え手段６８に加えて、搬送路９６と、第１排出口９８と、第２排出口１００と、「排出方向切り換え手段」としての進路切り換え手段１０２と、ガイド部材１０４と、搬送ローラー対７１と、ファン７２とを備えている。中継部９４において、搬送路９６の＋Ｙ方向側端部は、排出口５６に接続されている。搬送路９６の−Ｙ方向側端部には、第１排出口９８が設けられている。第１排出口９８は排出処理ユニット１６に接続されている。
【００６２】
搬送路９６において第１排出口９８の上流側には、第２排出口１００が設けられている。第２排出口１００が設けられた位置には、進路切り換え手段１０２とガイド部材１０４とが設けられている。進路切り換え手段１０２は、フラップとして形成され、制御部５２により制御されている。第２排出口１００の下方には、ガイド部材１０４が配置されている。
【００６３】
図５において搬送路９６において第２排出口１００に対応する位置まで搬送ローラー対７１により媒体Ｐが搬送された際、進路切り換え手段１０２が第２排出口１００を塞ぐ姿勢を取っていると、媒体Ｐはそのまま搬送路９６に沿って搬送ローラー対７１により搬送され、第１排出口９８を経由して排出処理ユニット１６に送られる。尚、図５において符号Ｐ−４が付された二点鎖線は、中継部９４において搬送路９６及び第１排出口９８を経由して排出処理ユニット１６に送られる媒体Ｐの搬送経路を示している。
【００６４】
一方、図６において搬送路９６において第２排出口１００に対応する位置まで搬送ローラー対７１により媒体Ｐが搬送された際、進路切り換え手段１０２が搬送路９６を遮って第２排出口１００を開口する姿勢を取っていると、媒体Ｐは進路切り換え手段１０２により第２排出口１００に案内される。第２排出口１００から排出された媒体Ｐは、ガイド部材１０４の湾曲したガイド面１０４ａにより湾曲反転させられ、媒体受けトレイ６６に対して上流側から下流側に向かって排出される。媒体受けトレイ６６において媒体Ｐは最後にラインヘッド３８と対向した記録面を上向き（フェイスアップ状態）として載置される。
【００６５】
本実施例では、排出口５６から進路切り換え手段６８により媒体受けトレイ６６に媒体Ｐが送られると、媒体Ｐは最後にラインヘッド３８と対向した記録面を下向き（フェイスダウン状態）にして載置される。一方、進路切り換え手段１０２によりガイド部材１０４を経由して媒体受けトレイ６６に媒体Ｐが送られると、媒体Ｐは最後にラインヘッド３８と対向した記録面を上向き（フェイスアップ状態）にして載置される。制御部５２は、これら進路切り換え手段６８、１０２を制御することにより、媒体受けトレイ６６における媒体Ｐの載置状態をフェイスダウン状態とフェイスアップ状態とで適宜切り換えることができる。
【００６６】
図５及び図６においてファン７２は、搬送路９６に向けて送風するように構成されている。尚、図６において符号Ｐ−５が付された二点鎖線は、搬送路９６から第２排出口１００及びガイド部材１０４を経由して媒体受けトレイ６６に送られる媒体Ｐの搬送経路を示している。
【００６７】
尚、第４の実施例の構成は、第２の実施例においても適用可能である。具体的には、搬送路８０において、媒体受けトレイ６６に対して−Ｙ軸方向の位置で第２排出口１００を設け、進路切り換え手段１０２及びガイド部材１０４により媒体Ｐを媒体受けトレイ６６に向けて送り出す。これにより、媒体受けトレイ６６に向けて送り出された媒体Ｐは最後にラインヘッド３８と対向した記録面を上向き（フェイスアップ状態）にして媒体受けトレイ６６に載置される。  
同様に、第４の実施例の構成は、第３の実施例においても適用可能であり、搬送路９２に第２排出口１００を設け、進路切り換え手段１０２及びガイド部材１０４により媒体Ｐを媒体受けトレイ６６に向けて送り出すように構成することができる。このように構成することにより中継部９４においても、媒体受けトレイ６６に媒体Ｐをフェイスアップ状態で載置することができる。
【００６８】
■■■第５の実施例■■■■
図７において第５の実施例について説明する。第５の実施例は、搬送路内に複数の排出経路を設けた点で第１の実施例と相違する。
【００６９】
中継部１０６は、進路切り換え手段１０８と、排出経路切り換え手段１１０と、第１排出経路１１２と、第２排出経路１１４と、搬送ローラー対７１と、ファン７２とを備えている。進路切り換え手段１０８は、中継部１０６において排出口５６寄りに配置されており、排出口５６から排出された媒体Ｐを中継部１４内に案内する姿勢（図７実線部）と、排出口５６から排出された媒体Ｐを媒体受けトレイ６６に案内する姿勢（符号１０８−１が付された破線部）とを切り換えることができる。進路切り換え手段１０８は、一例としてフラップ状に形成されており、制御部５２により姿勢が切り換えられるように構成されている。
【００７０】
さらに、中継部１０６において進路切り換え手段１０８の下流側には、排出経路切り換え手段１１０が設けられている。排出経路切り換え手段１１０は、一例としてフラップ状に形成されており、媒体Ｐを第１排出経路１１２に案内する姿勢（図７において実線で示した姿勢）と、媒体を第２排出経路１１４に案内する姿勢（図７において符号１１０−１が付された破線で示した姿勢）とを制御部５２の制御により切り換えることができる。
【００７１】
第１排出経路１１２及び第２排出経路１１４は媒体Ｐの搬送方向下流側において排出処理ユニット１６に接続されており、いずれの経路を通っても排出処理ユニット１６に送られる。尚、本実施例においてもファン７２は、媒体Ｐが第１排出経路１１２又は第２排出経路１１４へ進む場合は、第１排出経路１１２及び第２排出経路１１４へ送風し、媒体Ｐが媒体受けトレイ６６に向けて進む場合は、Ｚ方向上方側から媒体Ｐに向けて送風するように構成されている。尚、図７において符号Ｐ−６が付された二点鎖線は、中継部１０６において第１排出経路１１２を経由して排出処理ユニット１６に送られる媒体Ｐの搬送経路を示し、符号Ｐ−７が付された破線は、第２排出経路１１４を経由して排出処理ユニット１６に送られる媒体Ｐの搬送経路を示している。
【００７２】
＜＜＜各実施例における変更例＞＞＞
（１）中継部１４（図２）、７６（図３）、８４（図４）、９４（図５及び図６）、１０６（図７）は記録装置本体２０、８２に対して着脱可能に構成してもよく一例として、＋Ｘ方向側（装置奥行き方向における前面側）に取り外しあるいは引き出せるように構成してもよい。このように構成することにより、水平方向であるＹ方向において−Ｙ方向側に排出処理ユニット１６が配置されている場合であっても中継部１４（図２）、７６（図３）、８４（図４）、９４（図５及び図６）、１０６（図７）の着脱を容易にすることができ、中継部１４（図２）、７６（図３）、８４（図４）、９４（図５及び図６）、１０６（図７）のメンテナンスや交換作業の作業性を向上させることができる。
（２）中継部１４（図２）、７６（図３）、８４（図４）、９４（図５及び図６）、１０６（図７）において各中継部の一部、一例として搬送路７０（図２）、８０（図３）、９２（図４）、９６（図５及び図６）、第１排出経路１１２（図７）及び第２排出経路１１４（図７）を＋Ｘ方向側あるいは、−Ｚ方向側に開放する構成としてもよい。
（３）本実施例においてファン７２を１つ設ける構成としたが、中継部１４（図２）、７６（図３）、８４（図４）、９４（図５及び図６）、１０６（図７）において搬送路７０（図２）、８０（図３）、９２（図４）、９６（図５及び図６）、第１排出経路１１２（図７）及び第２排出経路１１４（図７）に対応するファンと、媒体受けトレイ６６に向かう経路に対応するファンとをそれぞれ設けてもよい。
【００７３】
（４）本実施例において、排出処理ユニット１６の下方に外部媒体供給ユニット１８を配置する構成としたが、この構成に代えて、排出処理ユニット１６の下方に外部媒体供給ユニット１８を配置しない構成としてもよい。この構成によれば、排出処理ユニット１６の下方に空間が形成されるので、記録装置本体２０、８２に設けられた複数の媒体収容部２４のうち、下部に位置する媒体収容部２４から搬送される媒体Ｐがジャムを生じた際、記録装置本体２０、８２において前記空間に対応する位置に設けられたカバーを開くことができ、詰まった媒体Ｐを搬送経路から容易に取り除くことができる。
（５）排出処理ユニット１６は、Ｚ方向に延びる回動軸によってプリンター１２に連結する構成であってもよい。排出処理ユニット１６を前記回動軸によりプリンター１２から離間する方向に回動させることにより、プリンター１２の−Ｙ方向側の側部が露呈し、当該側部に設けられたカバーを開くことにより、媒体収容部２４から搬送される媒体Ｐの搬送経路にアクセスすることができ、ジャム処理を容易にすることができる。
【００７４】
＜＜＜当接部の構成について＞＞＞
次いで、図７ないし図１０において当接部１１６について説明する。記録装置本体２０、８２においてフェイスダウン排出経路３２の排出口５６の上流側には当接部１１６が設けられている。図８において、当接部１１６は、第１当接部１１６Ａと、第２当接部１１６Ｂと、第３当接部１１６Ｃとを備えている。第１当接部１１６Ａ、第２当接部１１６Ｂ、第３当接部１１６Ｃには、それぞれ拍車（ギザローラー）１１８Ａ、１１８Ｂ、１１８Ｃが回転自在に取り付けられている。図８において排出口５６に最も近い排出ローラー対５４がＸ方向中央部において適宜間隔をおいて複数配置されている。
【００７５】
図８において一対の第１当接部１１６Ａは、排出口５６に最も近い排出ローラー対５４に対して媒体Ｐの搬送方向上流側かつ、Ｘ方向において複数の排出ローラー対５４に対して外側に配置されている。図７において第１当接部１１６Ａはフェイスダウン排出経路３２の上方側に配置され、第１当接部１１６Ａの拍車１１８Ａがフェイスダウン排出経路３２内に突出するように構成されている。
【００７６】
図８において一対の第２当接部１１６Ｂは、排出口５６に最も近い排出ローラー対５４に対して少なくとも拍車１１８Ｂが媒体Ｐの搬送方向上流側に位置するとともに、Ｘ方向において第１当接部１１６Ａに対して外側に配置されている。拍車１１８Ｂは拍車１１８Ａの媒体搬送方向下流側に配置されている。図７において第２当接部１１６Ｂはフェイスダウン排出経路３２の上方側に配置され、第２当接部１１６Ｂの拍車１１８Ｂがフェイスダウン排出経路３２内に突出するように構成されている。尚、第２当接部１１６Ｂの拍車１１８Ｂは、フェイスダウン排出経路３２に対して第１当接部１１６Ａの拍車１１８Ａよりも突出するように構成されている。
【００７７】
図８において二対の第３当接部１１６Ｃは、排出口５６に最も近い排出ローラー対５４に対して少なくとも拍車１１８Ｃが媒体Ｐの搬送方向上流側に位置するとともに、Ｘ方向において第２当接部１１６Ｂに対して外側に配置されている。拍車１１８Ｃは、媒体搬送方向において、拍車１１８Ａと拍車１１８Ｂとの間に配置されている。図７において第３当接部１１６Ｃはフェイスダウン排出経路３２の下方側に配置され、第３当接部１１６Ｃの拍車１１８Ｃがフェイスダウン排出経路３２内に突出するように構成されている。
【００７８】
図９において、媒体Ｐがフェイスダウン排出経路３２に沿って排出口５６まで搬送されると、排出口５６に最も近い排出ローラー対５４よりも上流側に配置されている第１当接部１１６Ａの拍車１１８Ａ、第２当接部１１６Ｂの拍車１１８Ｂ及び第３当接部１１６Ｃの拍車１１８Ｃが媒体Ｐと接触する。第１当接部１１６Ａの拍車１１８Ａ及び第２当接部１１６Ｂの拍車１１８Ｂは、媒体Ｐの上方側から媒体と接触し、媒体Ｐを下方側に押圧する。一方、第３当接部１１６Ｃの拍車１１８Ｃは、媒体Ｐの下方側から媒体と接触し、媒体Ｐを上方側に押圧する。
【００７９】
図１０において、媒体Ｐが排出口５６に最も近い排出ローラー対５４にニップされた状態において、媒体Ｐの幅方向（Ｘ方向）両側部には、排出ローラー対５４にニップされた中央部分に対して湾曲する湾曲部Ｐｃが第１当接部１１６Ａ、第２当接部１１６Ｂ及び第３当接部１１６Ｃにより形成される。これにより、媒体Ｐが排出口５６から媒体受けトレイ６６に排出される際、媒体Ｐの腰を強くすることができ、媒体Ｐにおいて搬送方向先端側又は後端側、あるいは媒体Ｐの幅方向の両側部がカール状に変形することを抑制し、或いは低減することができる。尚、図１０において符号Ｐが付された太線は、媒体Ｐの幅方向における変形状態を示している。
【００８０】
次いで、図１１において、一例として第１当接部１１６Ａ及び第２当接部１１６Ｂは、フェイスダウン排出経路３２に対して拍車１１８Ａ、１１８Ｂを突出させて媒体受けトレイ６６に向けて排出される媒体Ｐと当接する第１状態と、進路切り換え手段６８、８８、１０２、１０８により媒体Ｐを中継部１４、８４、９４、１０６内に進ませる際には、フェイスダウン排出経路３２から拍車１１８Ａ、１１８Ｂを退避させて媒体Ｐと当接させない第２状態とを切り換え可能に構成されている。尚、図１１において実線で示した第１当接部１１６Ａ及び第２当接部１１６Ｂは第１状態を示しており、符号１１６Ａ−１、１１６Ｂ−１が付された二点鎖線は、第１当接部１１６Ａ及び第２当接部１１６Ｂの第２状態を示している。
【００８１】
排出口５６から中継部１４、８４、９４、１０６内に媒体Ｐを進める際、第１当接部１１６Ａ及び第２当接部１１６Ｂは第２状態となり、媒体Ｐに湾曲部Ｐｃが形成されないので、湾曲部Ｐｃを形成したことによる腰の強さによって、媒体Ｐが中継部１４（図２）、８４（図４）、９４（図５及び図６）、１０６（図７）に入る際、各中継部の入り口や進路切り換え手段６８（図２）、８８（図４）、１０２（図５）、１０８（図７）に倣わずにジャムが生じることを防止できる。
【００８２】
尚、本実施例では、第３当接部１１６Ｃは固定としたが、第１当接部１１６Ａ及び第２当接部１１６Ｂと同様に第１状態と第２状態とを切り換え可能に構成してもよい。
【００８３】
上記説明をまとめると、プリンター１２は、媒体Ｐに記録を行うラインヘッド３８を収容する記録装置本体２０、８２と、ラインヘッド３８により記録された媒体Ｐを湾曲反転させて媒体Ｐをラインヘッド３８より上側の位置に案内するフェイスダウン排出経路３２と、ラインヘッド３８の上部に位置するとともに水平方向であるＹ方向において記録装置本体２０、８２と重なる位置に設けられ、フェイスダウン排出経路３２を経由して排出される媒体Ｐを受ける媒体受けトレイ６６と、媒体受けトレイ６６の上部に位置するとともに記録装置本体２０、８２と重なる位置に設けられ、フェイスダウン排出経路３２を経由して搬送される媒体Ｐを水平方向であるＹ方向における記録装置本体２０、８２の領域外に送る中継部１４（図２）、７６（図３）、８４（図４）、９４（図５及び図６）、１０６（図７）と、フェイスダウン排出経路３２から先の媒体Ｐの進路を媒体受けトレイ６６及び中継部１４、７６、８４、９４、１０６の一方から他方及び他方から一方に切り換える進路切り換え手段６８（図２）、７４（図３）、８８（図４）、１０２（図５及び図６）、１０８（図７）とを備えている。
【００８４】
上記構成によれば、フェイスダウン排出経路３２を経由して搬送される媒体Ｐを水平方向であるＹ方向における記録装置本体２０、８２の領域外に送る中継部１４、７６、８４、９４、１０６が、媒体受けトレイ６６の上部に位置するとともに記録装置本体２０、８２と重なる位置に設けられているので、記録装置本体２０、８２の領域外の例えば後処理装置としての排出処理ユニット１６に向けて媒体Ｐを送る中継部１４、７６、８４、９４、１０６の水平方向であるＹ方向の占有領域を抑え、或いは中継部１４、７６、８４、９４、１０６がそれ単独で水平方向であるＹ方向の領域を占有することを回避でき、即ち中継部１４、７６、８４、９４、１０６を省スペースに配設して記録システム１０全体として小型化を図ることができる。
【００８５】
中継部１４は、フェイスダウン排出経路３２から先の排出口５６より下流側に位置し、進路切り換え手段６８は、中継部１４に設けられ、排出口５６から排出される媒体Ｐを中継部１４内に進ませるか媒体受けトレイ６６に進ませるかを切り換える。この構成によれば、中継部１４は、フェイスダウン排出経路３２から先の排出口５６より下流側に位置するので、中継部１４を取り外した状態においても排出口５６から媒体Ｐの排出を行う構成とすることができる。
【００８６】
進路切り換え手段７４（図３）は、フェイスダウン排出経路３２から先の排出口５６より上流側に設けられ、フェイスダウン排出経路３２から抜けた媒体Ｐを排出口５６を経由させないで中継部７６に進ませるか排出口５６を経由させて媒体受けトレイ６６に進ませるかを切り換える。この構成によれば、中継部７６内の媒体搬送経路である接続路７８及び搬送路８０を長めに確保することができる。これにより、媒体Ｐにおいて記録が実行されてから排出されるまでの時間が延び、媒体Ｐの記録面に吐出されたインクの乾燥時間を確保することができる。
【００８７】
中継部８４（図４）は、進路切り換え手段８８と、フェイスダウン排出経路３２を経由して送られる媒体Ｐを受け入れる受け入れ口８６と、媒体Ｐを媒体受けトレイ６６に向けて排出する媒体排出口９０と、を備え、進路切り換え手段８８が、受け入れ口８６から受け入れられた媒体Ｐを記録装置本体２０の領域外に進ませるか媒体排出口９０を経由させて媒体受けトレイ６６に進ませるかを切り換える。
【００８８】
この構成によれば、進路切り換え手段８８も含めて中継部８４をアセンブリすることで、進路切り換え手段８８を作業性容易に設けることができる。さらに、中継部８４を進路切り換え手段８８を含めてユニット化することで、記録装置本体２０の着脱を容易にすることができ、プリンター１２を単体で使用する状態から記録システム１０の一部として使用する状態、あるいは記録システム１０の一部として使用する状態からプリンター１２を単体で使用する状態への切り換えを容易かつ迅速に行うことができる。
【００８９】
排出口５６の上流側に、媒体搬送方向と交差する方向である媒体幅方向における媒体Ｐの少なくとも一部と当接して媒体幅方向に湾曲する湾曲部Ｐｃを媒体Ｐに形成する当接部１１６（図８ないし図１１）を有し、当接部１１６は、進路切り換え手段６８（図２）、８８（図４）、１０２（図５及び図６）、１０８（図７）が媒体Ｐを媒体受けトレイ６６に進ませる際には媒体Ｐと当接する第１状態をとり、進路切り換え手段６８、８８、１０２、１０８が媒体Ｐを中継部１４、８４、９４、１０６に進ませる際には媒体Ｐと当接しない第２状態をとる。
【００９０】
この構成によれば、進路切り換え手段６８、８８、１０２、１０８が媒体Ｐを媒体受けトレイ６６に進ませる際には当接部１１６が第１状態をとることにより、媒体受けトレイ６６に向けて排出される媒体Ｐが、特に媒体排出方向にカールすることを抑制できる。具体的には、当接部１１６が第１状態において媒体Ｐと当接すると媒体Ｐにおいて湾曲部Ｐｃが形成され、媒体の腰を強くすることができる。その結果、搬送方向先端側又は後端側、あるいは媒体Ｐの幅方向の両側部がカール状に変形することを抑制し、或いは低減することができる。そして進路切り換え手段６８、８８、１０２、１０８が媒体Ｐを中継部１４、８４、９４、１０６に進ませる際には当接部１１６が第２状態をとることにより、媒体Ｐに湾曲部Ｐｃが形成されないので、中継部１４、８４、９４、１０６において媒体Ｐを受け入れる受け入れ口に、円滑に進ませることができる。
【００９１】
排出口５６から排出される媒体Ｐに対して送風するファン７２を備え、ファン７２は、進路切り換え手段６８（図２）、８８（図４）、１０８（図７）が媒体Ｐの進路を媒体受けトレイ６６行きに切り換えた状態では送風方向を媒体受けトレイ６６に向け、進路切り換え手段６８、８８、１０８が媒体Ｐの進路を中継部１４、８４、１０６行きに切り換えた状態では送風方向を媒体Ｐの進行方向に沿った方向に向ける。
【００９２】
上記構成によれば、排出口５６から排出される媒体Ｐに対して送風するファン７２を備え、ファン７２は、進路切り換え手段６８、８８、１０８が媒体Ｐの進路を媒体受けトレイ６６行きに切り換えた状態では送風方向を媒体受けトレイ６６に向けるので、媒体Ｐを適切に媒体受けトレイ６６に落下させることができる。またファン７２は、進路切り換え手段６８、８８、１０８が媒体Ｐの進路を中継部１４、８４、１０６行きに切り換えた状態では送風方向を媒体Ｐの進行方向に沿った方向に向けるので、中継部１４、８４、１０６において媒体を受け入れる受け入れ口に、媒体を適切に進ませることができる。
【００９３】
中継部９４（図６）は、受け入れた媒体Ｐを記録装置本体２０の領域外に排出する第１排出口９８と、受け入れた媒体Ｐを媒体受けトレイ６６の下流側から上流に向けて排出する為の第２排出口１００と、媒体Ｐの進路を第１排出口９８及び第２排出口１００の一方から他方及び他方から一方に切り換える進路切り換え手段１０２とを備えている。この構成によれば、中継部９４は、媒体Ｐを排出する排出口として第１排出口９８に加え第２排出口１００を有しているので、媒体Ｐの排出の自由度が向上する。
【００９４】
中継部９４は、第２排出口１００から排出される媒体Ｐの面を反転させて媒体受けトレイ６６に案内するガイド部材１０４を備えている。この構成によれば、媒体受けトレイ６６上に載置される媒体の面（フェイスアップあるいはフェイスダウン）を切り換えることができ、ユーザーの多様なニーズに応えることができる。
【００９５】
中継部１０６（図７）は、受け入れた媒体Ｐを記録装置本体２０の領域外に排出する排出経路として第１排出経路１１２及び第２排出経路１１４を備えるとともに、受け入れた媒体Ｐを第１排出経路１１２及び第２排出経路１１４のうちいずれかに選択的に切り換える排出経路切り換え手段１１０を備えている。この構成によれば、中継部１０６内により多くの媒体Ｐを受け入れることができ、特にラインヘッド３８が媒体Ｐに対してインクを吐出するタイプである場合には中継部１０６内でのインクの乾燥時間をより長く確保できる。
【００９６】
中継部１４（図２）、７６（図３）、８４（図４）、９４（図５及び図６）、１０６（図７）は、プリンター１２に隣接して設けられる後処理装置である排出処理ユニット１６に向けて媒体Ｐを排出する。この構成によれば、プリンター１２に後処理装置である排出処理ユニット１６を隣接する場合に、中継部１４、７６、８４、９４、１０６の水平方向であるＹ方向の占有領域を抑え、或いは中継部１４、７６、８４、９４、１０６がそれ単独で水平方向であるＹ方向の領域を占有することを回避することで、記録システム１０全体として小型化を図ることができる。
【００９７】
媒体Ｐに記録を行うラインヘッド３８を収容する記録装置本体２０、８２と、ラインヘッド３８により記録された媒体Ｐを湾曲反転させて媒体Ｐをラインヘッド３８より上側の位置に案内するフェイスダウン排出経路３２と、ラインヘッド３８の上部に位置するとともに水平方向であるＹ方向において記録装置本体２０、８２と重なる位置に設けられ、フェイスダウン排出経路３２を経由して排出される媒体Ｐを受ける媒体受けトレイ６６と、を備えるプリンター１２に対して媒体受けトレイ６６の上部に設けられ、フェイスダウン排出経路３２を経由して搬送される媒体Ｐを水平方向であるＹ方向における記録装置本体２０、８２の領域外に送る中継装置としての中継部１４（図２）、７６（図３）、８４（図４）、９４（図５及び図６）、１０６（図７）であって、フェイスダウン排出経路３２から先の媒体Ｐの進路を媒体受けトレイ６６及び中継部１４、７６、８４、９４、１０６内の一方から他方及び他方から一方に切り換える進路切り換え手段６８（図２）、７４（図３）、８８（図４）、１０２（図５及び図６）、１０８（図７）を備えている。
【００９８】
また、本実施形態では本発明に係る中継部１４、７６、８４、９４、１０６を記録装置の一例としてのインクジェットプリンターに適用したが、その他液体噴射装置一般に適用することも可能である。  
ここで、液体噴射装置とは、インクジェット式記録ヘッドが用いられ、該記録ヘッドからインクを吐出して被記録媒体に記録を行うプリンター、複写機及びファクシミリ等の記録装置に限らず、インクに代えてその用途に対応する液体を前記インクジェット式記録ヘッドに相当する液体噴射ヘッドから被記録媒体に相当する被噴射媒体に噴射して、前記液体を前記被噴射媒体に付着させる装置を含むものである。
【００９９】
液体噴射ヘッドとして、前記記録ヘッドの他に、液晶ディスプレー等のカラーフィルター製造に用いられる色材噴射ヘッド、有機ＥＬディスプレーや面発光ディスプレー（ＦＥＤ）等の電極形成に用いられる電極材（導電ペースト）噴射ヘッド、バイオチップ製造に用いられる生体有機物噴射ヘッド、精密ピペットとしての試料噴射ヘッド等が挙げられる。
【０１００】
尚、本発明は上記実施例に限定されることなく、特許請求の範囲に記載した発明の範囲内で、種々の変形が可能であり、それらも本発明の範囲内に含まれるものであることは言うまでもない。
【符号の説明】
【０１０１】
１０…記録システム、１２…プリンター、１４、７６、８４、９４、１０６…中継部、１６…排出処理ユニット、１８…外部媒体供給ユニット、２０、８２…記録装置本体、２２…スキャナーユニット、２４…媒体収容部、２６…媒体搬送経路、２８…給送経路、３０…ストレート経路、３２…フェイスダウン排出経路、３４…スイッチバック経路、３６…反転経路、３８…ラインヘッド、４０…給送ローラー、４２…分離ローラー対、４４、５８、６４、７１…搬送ローラー対、４６…搬送ローラー対、４８…ベルト搬送手段、５０…第１フラップ、５２…制御部、５４…排出ローラー対、５６…排出口、６０…湾曲部、６２…第２フラップ、６６…媒体受けトレイ、６８、６８−１、７４、８８、８８−１、１０２、１０８…進路切り換え手段、７０、８０、９２、９６…搬送路、７２…ファン、７２ａ、７２ｂ…送風口、７８…接続路、８６…受け入れ口、９０…媒体排出口、９８…第１排出口、１００…第２排出口、１０４…ガイド部材、１０４ａ…ガイド面、１１０…排出経路切り換え手段、１１２…第１排出経路、１１４…第２排出経路、１１６…当接部、１１６Ａ…第１当接部、１１６Ｂ…第２当接部、１１６Ｃ…第３当接部、１１８Ａ、１１８Ｂ、１１８Ｃ…拍車、Ｐ…媒体、Ｐｃ…湾曲部
【図１】
2018162146.tif 000003
【図２】
2018162146.tif 000004
【図３】
2018162146.tif 000005
【図４】
2018162146.tif 000006
【図５】
2018162146.tif 000007
【図６】
2018162146.tif 000008
【図７】
2018162146.tif 000009
【図８】
2018162146.tif 000010
【図９】
2018162146.tif 000011
【図１０】
2018162146.tif 000012
【図１１】
2018162146.tif 000013